(57)【要約】メール機能や留守番電話サービスを有する携帯型移動通信端末おいて、電源投入時や通信終了時におけるセンター蓄積データの有無確認以外に、利用者自身が設定した時間間隔毎に自動で問合せを実行する機能を設ける。この機能により、移動通信端末の使用頻度が少ない場合でも、確実にメールや留守番電話蓄積データの有無を確認することができ、また自動問合わせを設定している旨を使用者に対して告知するために、待受け画面上にその旨を表示する機能を設ける。【特許請求の範囲】
【請求項１】
メールサービス機能及び留守番電話サービス機能の少なくとも一つを有する携帯通信端末において、
サービスセンタに対して前記サービスに関する着信問合わせを、自動的に行う問合わせ手段と、
前記問合わせを自動的に行う旨を表示する表示手段と
を含むことを特徴とする携帯通信端末。
【請求項２】
前記表示手段は、前記問合わせを自動的に行う旨を、待受け画面上に表示することを特徴とする請求項１記載の携帯通信端末。
【請求項３】
前記表示手段は、前記問合わせを自動的に行う旨を、アイコン表示することを特徴とする請求項１または２記載の携帯通信端末。
【請求項４】
前記問合わせ手段は、予め設定された時間間隔で前記問合わせを行うことを特徴とする請求項１〜３いずれか記載の携帯通信端末。
【請求項５】
メールサービス機能及び留守番電話サービス機能の少なくとも一つを有する携帯通信端末における着信問合わせ方法において、
サービスセンタに対して前記サービスに関する着信問合わせを、自動的に行う問合わせステップと、
前記問合わせを自動的に行う旨を表示する表示ステップと
を含むことを特徴とする着信問合わせ方法。
【請求項６】
前記表示ステップは、前記問合わせを自動的に行う旨を、待受け画面上に表示することを特徴とする請求項５記載の着信問合わせ方法。
【請求項７】
前記表示ステップは、前記問合わせを自動的に行う旨を、アイコン表示することを特徴とする請求項５または６記載の着信問合わせ方法。
【請求項８】
前記問合わせステップは、予め設定された時間間隔で前記問合わせを行うことを特徴とする請求項５〜７いずれか記載の着信問合わせ方法。
【請求項９】
メールサービス機能及び留守番電話サービス機能の少なくとも一つを有する携帯通信端末における着信問合わせ方法をコンピュータに実行させるためのプログラムにおいて、
サービスセンタに対して前記サービスに関する着信問合わせを、自動的に行う処理と、
前記問合わせを自動的に行う旨を表示する処理と
を含むことを特徴とするプログラム。
【発明の詳細な説明】
【技術分野】
【０００１】
本発明は移動通信端末、その着信問合わせ方法、及びプログラムに関し、特にサービスセンタに対して電子メールや留守番電話の着信に関する問合わせを行う移動通信端末、その着信問合わせ方法、及びプログラムに関するものである。
【背景技術】
【０００２】
近年、携帯電話など携帯型の移動通信端末が普及している。また、電子メール（以下、単にメールと称す）サービスや留守番電話サービスなども普及している。これらメールサービスや留守番電話サービスが利用されている場合には、従来では、リアルタイムで通知が困難な場合がある。そこで次回通信時や次回電源投入時などにネットワークとの通信により情報の有無の確認が行われている。そのために、電波状況や使用頻度によって重要なメールや伝言を取得できない場合がある。
そこで、先行技術文献（特開２００２−２１８１０３号公報）を参照すると、サービスセンタに着信されたメールに関する問い合わせを当該サービスセンタに対して自動的に行う技術が開示されている。すなわち、当該技術は、メール着信に関する問合わせを、使用者により予め設定された所定のタイミングで、サービスセンタに自動的に行うというものである。
【発明の開示】
【発明が解決しようとする課題】
【０００３】
上述した先行技術文献に開示された技術では、メールに関する問合せを、使用者の設定したタイミングで自動的に実施することにより、メールの伝言の遅延を最小限にすることが可能となり、利便性向上が図れることになる。
しかしながら、メールの自動問合わせの設定をしていることを、使用者が失念しまう可能性がある。また、問合わせのための通信費用もかかるので、使用者に対して、メールの自動問合わせの設定がなされていることを告知することが必要となる。
そこで、本発明の目的は、メールや留守番電話などのサービスセンタへの問合わせを自動的に行うことができると共に、その旨を使用者に対して告知可能とした携帯通信端末、その着信問合わせ方法、及びプログラムを提供することである。
【課題を解決するための手段】
【０００４】
本発明の一態様による携帯通信端末は、メールサービス機能及び留守番電話サービス機能の少なくとも一つを有する携帯通信端末であって、サービスセンタに対して前記サービスに関する着信問合わせを、自動的に行う問合わせ手段と、前記問合わせを自動的に行う旨を表示する表示手段とを含むことを特徴とする。
本発明の一態様による着信問合わせ方法は、メールサービス機能及び留守番電話サービス機能の少なくとも一つを有する携帯通信端末における着信問合わせ方法であって、サービスセンタに対して前記サービスに関する着信問合わせを、自動的に行う問合わせステップと、前記問合わせを自動的に行う旨を表示する表示ステップとを含むことを特徴とする。
本発明の一態様によるプログラムは、メールサービス機能及び留守番電話サービス機能の少なくとも一つを有する携帯通信端末における着信問合わせ方法をコンピュータに実行させるためのプログラムであって、サービスセンタに対して前記サービスに関する着信問合わせを、自動的に行う処理と、前記問合わせを自動的に行う旨を表示する処理とを含むことを特徴とする。
前記携帯型移動通信端末は、さらに電源投入時や通信終了時におけるセンター蓄積データの有無確認以外に、利用者自身が設定したタイミングや時間間隔毎に自動で問合せを実行する機能を有する。この機能により、移動通信端末の使用頻度が少ない場合でも、確実にメールや留守番電話蓄積データの有無を確認することができる。
前記携帯型移動通信端末は、さらに自動問合わせを設定している旨を使用者に対して告知するために、待受け画面上にその旨を表示する機能を有する。
【発明の効果】
【０００５】
本発明によれば、メール機能や留守番電話サービスを有する携帯型移動通信端末おいて、電源投入時や、通信終了時にセンター蓄積データの有無確認以外に、利用者自身が設定したタイミングや時間間隔毎に自動的に問合せを実行することができる。
また本発明によれば、表示画面上に自動問合わせを設定している旨を使用者に告知する機能を設けたので、携帯型移動通信端末の使用頻度が少ない場合でも、確実にメールや留守番電話蓄積データの有無を確認することができる。
また本発明によれば、使用者の失念に対しても有効となるという効果が得られる。特に、表示画面、例えば、待受け画面上に、自動問合わせの設定を行っている旨を表示させることにより、使用者は問合わせのための通信費用がかかることを認識することができる。
【図面の簡単な説明】
【０００６】
図１は本発明の一実施例に係る移動通信端末の機能ブロック図である。
図２は本発明の一実施例に係る移動通信端末の動作フロー図である。
図３は問合わせ間隔設定画面の一例を示す図である。
図４はメール問合わせ間隔設定画面の一例を示す図である。
図５は問合わせ設定中の待受け画面の一例を示す図である。
図６は本発明の他の実施の形態の動作フロー図である。
図７は問合わせスケジュール編集画面の一例を示す図である。
図８は繰り返し設定画面の一例を示す図である。
【発明を実施するための最良の形態】
【０００７】
以下、図面を参照しつつ本発明の実施例について詳細に説明する。図１は本発明の実施の形態による携帯型移動通信端末の概要構成図である。図１を参照すると、本移動通信端末は無線信号の送受信を行うアンテナ（ＡＮＴ）部１を有している。アンテナ部１には無線部２を介してベースバンド処理部３が接続されている。これら無線部２及びベースバンド処理部３は入力及び出力無線信号の変復調を行う。ベースバンド処理部３には制御部４が接続されている。制御部４は主に機能動作を制御する回路である。
本移動通信端末には本端末に電力を供給する電源１９が設けられている。更に、ベースバンド処理部３には本端末の受話部として機能するレシーバ１１が接続されている。また、ベースバンド処理部３には本端末の送話部として機能するマイクロフォン１２が接続されている。
制御部４には表示部１５が接続されている。表示部１５は電話番号、時計、サービス圏内／圏外、電話帳表示、スケジュール表示、カレンダー表示、メモ帳表示、現在のモード等の表示を行う。制御部４には、複数のキーボタンを有するキーボード部７が接続されている。キーボード部７は使用者の入力操作を認識して制御部４に伝達する機能を有する。制御部４には音量出力制御部１７が接続されている。この音量出力制御部１７は制御部４の制御により、サウンダ１８の音量出力レベルを調整する回路である。このサウンダ１８は着信音を発するスピーカである。
制御部４にはバイブレーション部１６が接続されている。このバイブレーション部１６は、マナーモード時など着信音をサウンダから鳴動させない場合に駆動する。このバイブレーション部１６は振動により着信を報知する振動モータである。キーボード部７にマナー設定専用のキーが設けてもよい。本移動通信端末では、マナーモード設定する場合に、ユーザーが手動でマナーモード（サウンダ１８からの音量出力無し）にすることができる。
制御部４には名前と電話番号とを記憶するメモリとして機能する電話帳５が接続されている。また、制御部４にはカレンダー機能を記憶するメモリとして機能するカレンダー管理部８が接続されている。更に、制御部４には、ユーザーによりキーボード７から入力されたメモ等を記憶するメモリとして機能するメモ帳６が接続されている。更に、制御部４にはクロック回路１４が接続されている。このクロック回路１４は制御部４が動作するためのクロックを供給する回路である。
制御部４には時計機能部１３が接続されている。この時計機能部１３はクロック回路１４のクロックを使用して現在の時間情報を管理し、また、メール問合せや留守番問合せの際に設定された時間情報を管理する。
以下、本発明の実施の形態について図２を参照して説明する。図２は自動問合せ設定を説明するフローチャートである。ステップＳ１０１では、キーボード部７を使用して、メールの問合せの設定か留守番電話問合せの設定かの判定が行われる。
留守番電話の問合せの場合には、ステップ１０４へ遷移し、問合せ間隔の設定が行われる。図３に問合せ間隔設定画面の一例を示す。図３の例は、１時間間隔から１０時間間隔まで設定例である。この設定では１時間間隔から１０時間間隔まで設定が可能である。
メール問合せの場合には、既存のメール問合せ設定処理を実施（ステップ１０３）した後に、問合せ間隔の設定を行う処理ステップ１０４へ遷移する。図４に既存のメール問合せ設定画面を示す。問合せ先が複数存在した場合、問合せ先全部選択することもでき、一部の問合せ先を選択することもできる。メール問合せ設定が全て完了した場合、完了の旨の表示が行われ、待受け画面に設定中を示す表示が行われる。
図５に自動問合せ設定中の待受け画面の一例を示す。待受け画面には、メール自動問合せ設定中のアイコン５１と、留守番電話自動問合せ設定中のアイコン５２とが、それぞれ表示される。この表示によって利用者に設定中であることが視覚的にわかる。
次に、問合せ起動時の動作について説明する。図２の動作フローで設定を行った後に、時計機能部１３にて設定された時間が管理され、設定した時間間隔で、メール・留守番電話の問合せが実施される。この問合せ方法によって、従来手動で実施していた操作を、内部の処理として自動で実行可能となる。例えば、従来必要であったキー入力処理を本発明のプログラムを実行することによって自動処理させる。問合せ実施後の動作は、手動にて問合せを行ったときと同様の動作となる。
次に、本発明の他の実施例について、図６のフローチャートを用いて説明する。図６は、問合せ時間を既存のスケジュール機能に連携して実施するフローである。ステップ２０１から２０３までの動作は、先の実施例における図２のステップ１０１〜１０３までの動作と同一であるから、その説明は省略する。
次のスケジュール設定ステップ２０４において、既存のスケジュール機能を呼出し、問合せスケジュール編集が行われる。問合せスケジュール編集画面の一例を図７に示す。ここでは、設定した日時、繰返し設定、アラーム音などの設定が行われる。また、繰返し設定画面の一例を図８に示す。繰返し設定では、繰返しなし、毎日繰返し、曜日指定などの設定を行う。この設定により、スケジュールに設定した日時に、メールセンタ、留守番電話センタなどに問合せを実行することが可能となる。
上述した図２や図６の実施の形態における動作は、予めその動作手順をプログラムとしてＲＯＭなどの記録媒体に格納しておき、これをコンピュータである制御部（ＣＰＵ）が読み取って実行するように構成できることは明白である。
【図１】
2006101264.tif 000002
【図２】
2006101264.tif 000003
【図３】
2006101264.tif 000004
【図４】
2006101264.tif 000005
【図５】
2006101264.tif 000006
【図６】
2006101264.tif 000007
【図７】
2006101264.tif 000008
【図８】
2006101264.tif 000009
【国際調査報告】
2006101264.tif 000010
2006101264.tif 000011
2006101264.tif 000012
2006101264.tif 000013